(57)【特許請求の範囲】
【請求項１】
ハンドル（１２）であって、近位端部分（１６）及び遠位端部分（１８）を備えた細長い把持部分（１４）と、前記ハンドルの前記近位端部分に取り付けられた接続基部（２０）と、前記ハンドル内に位置付けられた電源（２０２）に動作可能に接続された加熱器バー（２２）であって、前記接続基部に接合されている加熱器バーを有するハンドル（１２）、および、
ハウジング（３２）を有する取り外し可能なかみそりカートリッジ（３０）であって、前記ハウジングは、ガード（３４）と、キャップ（３６）と、前記ガードと前記キャップの間で前記ハウジングに取り付けられた少なくとも１つの刃（３８）と、前記接続基部の対応する表面と解放可能に係合されたハンドル取り付け表面（５６）を有する前記ハウジングに固定された相互接続部材（５４）を備えている、カートリッジ、
を含み、
前記加熱器バー（２２）は、前記刃（３８）に対して概ね平行に延びる細長い部分（８２）と、前記細長い部分（８２）から前記刃（３８）に向かって概ね横断して延びる一対の対向する横方向端部分（８４、８６）とを有する、剃毛かみそりシステム（１０）。
【請求項２】
前記相互接続部材（５４）は、前記ハウジング（３２）に強固に固定されている、請求項１に記載の剃毛かみそりシステム。
【請求項３】
前記接続基部（２０）は、前記ハンドル（１２）の前記近位端部分（１６）に枢動可能に取り付けられている、請求項１又は２に記載の剃毛かみそりシステム。
【請求項４】
前記相互接続部材（５４）は、前記接続基部の中間壁部（１２０）を受容するような寸法の開口部（７２）を画定する、請求項１〜３のいずれか一項に記載の剃毛かみそりシステム。
【請求項５】
前記ガード（３４）は、前記加熱器バー（２２）の前記横方向端部分の間に位置付けられる、請求項１に記載の剃毛かみそりシステム。
【請求項６】
前記ガードの前に及び前記加熱器バー（２２）の前記横方向端部分（８４、８６）の間に、皮膚に係合する部材を更に含む、請求項１に記載の剃毛かみそりシステム。
【請求項７】
前記接続基部（２０）は、前記ハウジング（３２）の少なくとも一部分を支持する凹部表面（１０４）を有する、請求項１〜６のいずれか一項に記載の剃毛かみそりシステム。    
【請求項８】
前記凹部表面（１０４）は、前記ハウジング（３２）の、皮膚と係合する部材（４０）を支持する、請求項７に記載の剃毛かみそりシステム。
【請求項９】
前記加熱器バー（２２）は、一対のノッチ（８８、９０）を有する、請求項１〜８のいずれか一項に記載の剃毛かみそりシステム。
【請求項１０】
前記取り外し可能なかみそりカートリッジ（３０）は一対のクリップ（４２ａ、４２ｂ）を有し、及び、各ノッチ（８８、９０）は前記各クリップの少なくとも一部分を受容する、請求項９に記載の剃毛かみそりシステム。
【請求項１１】
前記刃（３８）を前記ハウジング（３２）に固定する一対の金属クリップ（４２ａ、４２ｂ）によって、熱が前記加熱器バー（２２）から前記刃（３８）に伝達される、請求項１〜１０のいずれか一項に記載の剃毛かみそりシステム。
【請求項１２】
前記加熱器バー（２２）の下方に位置付けられる加熱要素（２２２）を更に含み、前記加熱要素は、抵抗性部材（２２４）と絶縁性部材（２２６）とを含む、請求項１〜１１のいずれか一項に記載の剃毛かみそりシステム。
【請求項１３】
前記抵抗性部材（２２４）は、０．１Ω〜２０Ωの抵抗を有する、請求項１２に記載の剃毛かみそりシステム。
【請求項１４】
前記加熱器バー（２２）は、セラミック絶縁性部材（２２６）を含む、請求項１１〜１３のいずれか一項に記載の剃毛かみそりシステム。
【発明の詳細な説明】
【技術分野】
【０００１】
本発明は、剃毛かみそり及びかみそりカートリッジに関し、より詳しくは、湿式剃毛用の加熱された剃毛かみそりハンドルに関する。
【背景技術】
【０００２】
湿式剃毛式かみそりのユーザーは、一般的に、剃毛中に自分の皮膚に接触する温かい感触を楽しむ。温かさは、良好な感触を与え、より快適な剃毛につながる。例えば、理髪店では典型的に、顧客の顔部を温かいタオルで覆い、及び剃毛の前に加熱された剃毛クリームを顔部に塗布する。剃毛プロセス中に温かい感触を与える製品を提供するために様々な試みが行われてきた。例えば、剃毛クリームは、剃毛キャニスタから放出される時に発熱反応して剃毛クリームが皮膚に温かさを付与するように調合されてきた。また、かみそりヘッドは、バッテリなどの電源によって提供される電力による熱風、加熱要素、及び線状スキャンレーザービームを使用して加熱されてきた。
【発明の概要】
【発明が解決しようとする課題】
【０００３】
かみそりカートリッジ内部のかみそり刃もまた、加熱されてきた。加熱された刃を供なうことの欠点は、ユーザーの皮膚と接触する刃の表面積が、極小であることである。この極小な皮膚接触領域は、剃毛中のユーザーの皮膚を加熱することに関してかなり非効率的な機構を提供する。剃毛中のユーザーに対して改善された加熱能力を与えることが可能なかみそりを提供するというニーズが存在する。
【課題を解決するための手段】
【０００４】
１つの態様では、本発明は、概して、ハンドルを有する単純で効率的な剃毛かみそりシステムを特徴とし、このハンドルは、近位端部分及び遠位端部分を備えた細長い把持部分を有する。接続基部は、ハンドルの近位端部分に取り付けられ、加熱器バーは、電源に動作可能に接続され、及びハンドル内部に位置付けされる。加熱器バーは、接続基部に接合される。取り外し可能なかみそりカートリッジは、皮膚と係合する部材と、キャップと、皮膚と係合する部材とキャップの間でハウジングに取り付けられる少なくとも１つの刃とを備えたハウジングを有するように提供される。相互接続部材は、接続基部の対応する表面と解放可能に係合されるハンドル取り付け表面を有するハウジングに固定される。
【０００５】
１つの態様では、本発明は、概して、熱を適用する、単純で効率的な剃毛かみそりハンドルを特徴とし、このハンドルは、近位端部分及び遠位端部分を有する細長い把持部分を備える。接続基部は、ハンドルの近位端部分に枢動可能に取り付けられる。電源は、細長い把持部分内部に位置付けられる。加熱器バーは、剃毛ストローク中に熱を提供する電源に動作可能に接続される。加熱器バーは、接続基部に接合される。接続基部は、取り外し可能なかみそりカートリッジを維持するためのハウジング取り付け表面を有する。
【０００６】
所望の場合、特定の実施形態は、細長い把持部分を概ね横断して延びる細長い部分と、細長い部分から、細長い把持部分から離れる方向へと概ね横断して延びる一対の対向する横方向端部分とを有する加熱器バーを任意選択的に含んでもよい。特定の実施形態はまた、任意選択的に凹部表面を有する加熱器バーを含む。
【０００７】
本発明の１つ以上の実施形態の詳細は、添付の図面及び下記の説明で述べられる。ある特定の実施形態は、特に明記しない限り、一般的に開示されるが組み合わせて明示的に例証又は要求されない本発明の要素又は構成部品を組み合わせることができることが理解される。本発明の他の特徴及び利点は、説明及び図面、並びに特許請求の範囲から明らかになるだろう。
【図面の簡単な説明】
【０００８】
【図１】剃毛かみそりシステムの斜視図である。
【図２Ａ】図１の剃毛かみそりシステムに組み込まれ得る取り外し可能な剃毛かみそりカートリッジの正面斜視図である。
【図２Ｂ】図２Ａの取り外し可能な剃毛かみそりカートリッジの背面斜視図である。
【図３】図１の剃毛かみそりシステムに組み込まれ得る接続基部の正面斜視図である。
【図４】図３の接続基部の背面斜視組立図である。
【図５Ａ】図１の剃毛かみそりシステムの背面斜視組立図である。
【図５Ｂ】図１の剃毛かみそりシステムの正面斜視組立図である。
【図６】図１の剃毛かみそりシステムの拡大正面図である。
【図７】図１のかみそりの概略正面図である。
【図８】図６の線８−８に沿った剃毛かみそりシステムの加熱器バーのかみそりカートリッジ断面図である。
【発明を実施するための形態】
【０００９】
図１を参照すると、剃毛かみそりシステム１０の斜視図が示される。剃毛かみそりシステム１０は、近位端部１６及び遠位端部１８を備えた細長い把持部分１４を有するハンドル１２を含んでもよい。接続基部２０は、ハンドル１２の近位端部１６に取り付けられてもよい。特定の実施形態では、前記接続基部２０は、前記細長い把持部分１４を概ね横断する枢動軸線Ｐ１の周りで動くのを可能にするように、上記ハンドル１２の上記近位端１６に枢動可能に取り付けられてもよい。加熱器バー２２は、ハンドル１２の接続基部２０に接合されてもよい（すなわち、加熱器バー２２は、通常の剃毛条件下では取り除くことができない）。したがって、加熱器バー２２は、ハンドル１２に対して枢動してもよい。加熱器バー２２は、剃毛ストローク中の温まる感覚を提供するために、ハンドル１２内部に位置付けられた電源（例えば、図示されない再充電可能バッテリ）に動作可能に接続されてもよい。ハンドル１２は、加熱器バー２２の動作を制御するためのスイッチ２４を有してよい。
【００１０】
剃毛かみそりシステム１０は、取り外し可能なかみそりカートリッジ３０を含んでもよい。取り外し可能なかみそりカートリッジ３０は、ガード３４と、キャップ３６と、キャップ３６とガード３４の間でハウジング３２に取り付けられた少なくとも１つ以上の刃３８と、を有するハウジング３２を有してもよい。ガード３４及びキャップ３６は、ガード３４及びキャップ３６の接線方向にある剃毛面を画定してもよい。ガード３４は、刃３８に対して概ね平行に延びる中実のバーであってもよく、又は分割されたバーであってもよい。特定の実施形態では、ガード３４は、刃３０の前に剃毛ストローク中の皮膚を伸ばすための皮膚係合部材４０（例えば、複数のフィン）を備えてもよい。特定の実施形態では、皮膚係合部材４０は、ハウジング３２に対してインサート射出成形又は共射出成形されてもよい。しかしながら、接着剤、超音波溶接、又は機械的締結具などの他の既知の組立て方法もまた使用されてよい。皮膚係合部材４０は、ハウジング３２よりも軟性（すなわち、低デュロメータ硬度）の材料から成形されてもよい。例えば、皮膚係合部材４０は、約２０、３０、又は４０〜約５０、６０、又は７０のショアＡ硬さを有してもよい。皮膚係合部材４０は、熱可塑性エラストマー（ＴＰＥ）又はゴムで作製され得、例としては、シリコン、天然ゴム、ブチルゴム、ニトリルゴム、スチレンブタジエンゴム、スチレンブタジエンスチレン（ＳＢＳ）ＴＰＥ、スチレンエチレンブタジエンスチレン（ＳＥＢＳ）ＴＰＥ（例えば、Ｋｒａｔｏｎ）、ポリエステルＴＰＥ（例えば、Ｈｙｔｒｅｌ）、ポリアミドＴＰＥ（Ｐｅｂａｘ）、ポリウレタンＴＰＥ、ポリオレフィン系ＴＰＥ、及びこれらのＴＰＥの任意のブレンド（例えば、ポリエステル／ＳＥＢＳブレンド）が挙げられるが、これらに限定されない。特定の実施形態では、皮膚係合部材４０は、Ｋｒａｉｂｕｒｇ  ＨＴＣ  １０２８／９６、ＨＴＣ  ８８０２／３７、ＨＴＣ  ８８０２／３４、又はＨＴＣ  ８８０２／１１（ＫＲＡＩＢＵＲＧ  ＴＰＥ  ＧｍｂＨ  ＆  Ｃｏ．ＫＧ（Ｗａｌｄｋｒａｉｂｕｒｇ，Ｇｅｒｍａｎｙ））で構成されてよい。より軟質の材料は、皮膚の伸張を増し、並びに、剃毛中のユーザの皮膚により好ましい感触を提供し得る。より軟質の材料はまた、剃毛中のユーザの皮膚に当たるハウジング３２及び／又はフィンのより硬い材料の不快な感覚を感じ難くするのを補助する。
【００１１】
特定の実施形態では、刃３８は、ハウジング３２に取り付けられて、１つ以上のクリップ４２ａ及び４２ｂによって固定されてもよい。当業者に良く知られた他のアセンブリ方法もまた、刃３８のハウジング３２への固定及び／又は取り付けに使用してもよく、それらは、ワイヤラッピング、冷間成形、熱間かしめ、インサート成形、超音波溶着、及び接着剤を含むが、これらに限定されない。クリップ４２ａ及び４２ｂは、熱を伝導する及び刃３８が腐食するのを防止するのを助けるための犠牲アノードとして作用するアルミニウムなどの金属を含んでもよい。５枚の刃３８が示されているが、ハウジング３２は、取り外し可能なかみそりカートリッジ３０の所望の性能及び費用に応じて、これよりも多い枚数又は少ない枚数の刃を有してよい。以下に詳述されるように、一旦刃３８の切れ味が悪くなる（又は損傷する）と、消費者は、接続基部２０から取り外し可能なかみそりカートリッジ３０を摺動して係合離脱させ、使用された取り外し可能なかみそりカートリッジ３０を新しいものと取り替えてもよい。取り外し可能なかみそりカートリッジ３０は、接続基部２０上をハンドル１２の細長い把持部分１４に概ね平行な方向へと及び方向から摺動されてもよい。
【００１２】
キャップ３６は、ハウジング３２に取り付けられた別個の成形品（例えば、剃毛補助剤が充填されたリザーバ）、又は押出成形構成要素（例えば、押出成形された潤滑ストリップ）であってもよい。特定の実施形態では、キャップ３６は、皮膚を支持するための及び剃毛面を画定するためのプラスチック又は金属のバーであってもよい。キャップ３６は、ハウジング３２と同じ材料で成形若しくは押出成形されてよく、又は剃毛中の快適さを増すために、１つ以上の水滲出性の剃毛補助剤材料を有するより潤滑な剃毛補助剤複合材料で成形又は押出成形されてよい。剃毛補助剤複合材料は、非水溶性ポリマーと、皮膚潤滑性の水溶性ポリマーと、を含んでよい。ポリエチレン、ポリプロピレン、ポリスチレン、ブタジエン−スチレンコポリマー（例えば、中耐衝撃性ポリスチレン及び高耐衝撃性ポリスチレン）、ポリアセタール、アクリロニトリル−ブタジエン−スチレンコポリマー、エチレンビニルアセテートコポリマー、ポリプロピレン／ポリスチレンブレンドなどのブレンドを含むが、これらに限定されない、使用され得る適した非水溶性ポリマーは、Ｍｏｂｉｌ  ４３２４（Ｍｏｂｉｌ  Ｃｏｒｐｏｒａｔｉｏｎ）などの高耐衝撃性ポリスチレン（すなわち、ポリスチレン−ブタジエン）を有してよい。
【００１３】
適した皮膚潤滑性の水溶性ポリマーとしては、ポリエチレンオキシド、ポリビニルピロリドン、ポリアクリルアミド、ヒドロキシプロピルセルロース、ポリビニルイミダゾリン、及びポリヒドロキシエチルメタクリレートが挙げられてよい。他の水溶性ポリマーとしては、一般にＰＯＬＹＯＸ（Ｕｎｉｏｎ  Ｃａｒｂｉｄｅ  Ｃｏｒｐｏｒａｔｉｏｎから入手可能）又はＡＬＫＯＸ（Ｍｅｉｓｅｉ  Ｃｈｅｍｉｃａｌ  Ｗｏｒｋｓ（Ｋｙｏｔａ，Ｊａｐａｎ）から入手可能）として知られるポリエチレンオキシドが挙げられてよい。これらのポリエチレンオキシドは、約１０万〜６００万、例えば、約３０万〜５００万の分子量を有してよい。ポリエチレンオキシドは、約５００万の平均分子量を有する、約４０〜８０％のポリエチレンオキシド（例えば、ＰＯＬＹＯＸ  ＣＯＡＧＵＬＡＮＴ）と、約３０万の平均分子量を有する約６０〜２０％のポリエチレンオキシド（例えば、ＰＯＬＹＯＸ  ＷＳＲ−Ｎ−７５０）と、のブレンドを含んでよい。ポリエチレンオキシドブレンドはまた、ＰＥＧ−１００などの低分子量（すなわち、ＭＷ＜１０，０００）ポリエチレングリコールの最大約１０重量％を含有してよい。
【００１４】
剃毛補助剤複合材料はまた、所望に応じて、シクロデキストリン（cylcodextrin）、ポリエチレングリコール（例えば、１〜１０重量％）など低分子量の水溶性放出促進剤、架橋ポリアクリル酸（例えば、２〜７重量％）など水膨潤性放出促進剤、着色剤、酸化防止剤、防腐剤、殺菌剤、ひげ軟化剤、収れん剤、除毛剤、薬剤、コンディショニング剤、加湿剤、冷却剤などと皮膚鎮静剤との包接錯体を含んでよい。
【００１５】
図２Ａを参照すると、図１の取り外し可能な剃毛かみそりカートリッジ３０の正面斜視図が示されている。各クリップ４２ａ及び４２ｂの第１端部４４ａ及び４４ｂは、ハウジング３２の背部４８にある各第１開口４６ａ及び４６ｂそれぞれを通って延びてもよい。各クリップ４２ａ及び４２ｂの第２端部５０ａ及び５０ｂは、刃３８を適所に固定するようにハウジングの正面５２の周りを覆ってもよい。以下に詳細に記載するように、クリップ４２ａ及び４２ｂを開口４６ａ及び４６ｂに挿入することにより、クリップ４２ａ及び４２ｂのハウジング３２への固定強度を増加させてもよく、更に、クリップ４２ａ及び４２ｂがハウジング３２の正面５２の周りを覆うことにより、加熱器バー２２からクリップ４２ａ及び４２ｂへの熱伝達を改善してもよい。したがって、熱は、取り外し可能な剃毛かみそりカートリッジ３０のより大きな表面積に適用されてもよい。皮膚係合部材４０及び／又はガード３４は、ハウジング３２の正面５２及び／又はクリップ４２ａ若しくは４２ｂを超えて延びてもよい。
【００１６】
図１に示すように、ハウジング３２は、取り外し可能な剃毛かみそりカートリッジ３０をハンドル１２に取り付けるための内部接続部材５４を有してもよい。内部接続部材５２は、ハンドル取り付け表面５６を有してもよく、これは、ハンドル１２の接続基部の対応する表面と係合する。ハンドル取り付け表面５６は、少なくとも１つの磁石要素５８及び６０を有してもよい。ハンドル取り付け表面５６は、磁石要素５８及び６０を備えた少なくとも１つのポケット６２及び６４を画定してもよく、この磁石要素５８及び６０は、対応するポケット６２及び６４内に取り付けられる。ハンドル取り付け表面５６は、単一の磁石要素を備えた細長いポケット、又は対応する磁石要素を保持するための一対のより小型の離間したポケットを有してもよい。磁石要素５８及び６０によって及ぼされる力Ｆ１の方向は、取り外し可能剃毛かみそりカートリッジ３０を取り外すために、及び取り付けるために適用される力Ｆ２を概ね横断してもよい。これにより、取り外し可能剃毛かみそりカートリッジ３０を取り付ける力及び取り外す力は、消費者による取り扱いが楽になるように低減されてもよい（取り外す力に対して平行な方向に及ぼされる磁気力と比較して）。加えて、取り外し可能なかみそりカートリッジを取り付ける力及び／又は取り外す力は、より緩やかであってもよい。例えば、磁石要素によって及ぼされる力が取り付ける力／取り除く力に対して平行な方向である場合、より急で、より大きな力が必要とされてもよい。
【００１７】
図２Ｂを参照すると、図２Ａの取り外し可能な剃毛かみそりカートリッジ３０の背面斜視図が図示されている。特定の実施形態では、内部接続部材５４は、ハウジング３２の一部であってもよい。しかしながら、内部接続部材５４もまた、ハウジング３２に別個に取り付けられてもよく、又は接合されてもよい。内部接続部材５４は、ハウジング３２の底面７０から延びてもよい。開口部７２は、ハンドル１２の接続基部２０の対応する特徴部と嵌合するための内部接続部材５４によって画定されてもよい。内部接続部材５４は、開口部７２を画定する内部前壁部、後壁部及び対向する側壁部（それぞれ７４、７６、７８及び８０）を有してもよい。特定の実施形態では、内部壁部７４、７６、７８、及び８０は平滑であってもよい。例えば、内部壁部７４、７６、７８、及び８０は、内部接続部材を接続基部に固定するための任意のラッチ機構又は特徴部を有しなくてもよい。このようなラッチ機構は、剃毛中、磁石要素５８及び６０がハンドルに対して取り外し可能なかみそりカートリッジ３０を固定するように使用されるので、必要とされなくてもよい。特定の実施形態では、開口部７２は、内部接続部材５４と内部接続基部２０との適切な位置合わせ、及び磁石要素６０及び５８と接続基部の１つ以上の対応する磁石要素との適切な位置合わせを提供してもよい。
【００１８】
図３を参照して、接続基部２０の正面斜視図が示されている。接続基部２０の加熱器バー２２は、図１に示されるように、刃３８に対して概ね平行に延びる細長い部分８２を有してもよい（例えば、ハンドル１２の細長い把持部分１４を横断する）。一対の横方向端部分８４及び８６は、細長い部分８２から刃３８を概ね横切る方向に延びてもよい（例えば、刃３８に向かって及び／又はハンドル１２の把持部分１４から離れるように）。横方向端部分８４及び８６のそれぞれは、各ノッチ８８及び９０を有してもよい。例えば、ノッチ８８及び９０は、横方向端部分８４及び８６の各後端壁部９２及び９４上に配置されてもよい。ノッチ８８及び９０は、各クリップ４２ａ及び４２ｂの少なくとも一部分を受容するような寸法であってもよい。加熱器バー２２は、ハウジング３２の少なくとも一部分を受容する及び／又は支持するような寸法の凹部９６を画定してもよい（例えば、皮膚接触部材４０）。凹部９６は、加熱器バー２２の細長い部分８２の後壁部９８及び横方向端部分８４及び８６のそれぞれの側壁部１００及び１０２によって画定されてもよい。加熱器バー２２はまた、加熱器バー２２の皮膚接触表面１０６の下方、後方及び下方に位置付けされる凹部表面１０４（すなわち、前壁部及び側壁部に接続する底壁部）を有してもよい。凹部表面は、ハウジングの少なくとも一部分を支持してもよい（例えば、皮膚接触部材４０）。
【００１９】
図４を参照して、図３の接続基部２０の背部斜視組立図が示されている。接続基部２０は、取り外し可能なかみそりカートリッジ３０のハンドル取り付け表面５６に対応するハウジング取り付け表面１１０を有してもよい。ハウジング取り付け表面１１０は、少なくとも１つの磁石要素１１２及び１１４を有してもよく、この磁石要素１１２及び１１４は、図２Ａのハンドル取り付け表面５６の対応する磁石要素６０及び５８に係合する。例えば、ハウジング取り付け表面１１０は、単一の磁石要素を備えた細長いポケット、又は一対のより小型の離間したポケット１１６及び１１８を有してもよく、この離間したポケット１１６及び１１８は、対応する磁石要素１１２及び１１４（図示されている）を保持するためのものである。接続基部２０は、ハウジング取り付け表面１１０及び接続基部の１２０の前壁部１２２から離間した中間壁部１２０を有してもよい。中間壁部１２０は、ハウジング３２の相互接続部材５４の開口部７２と嵌合するような寸法であってもよい。
【００２０】
接続基部２０は、枢動戻り力を提供するための少なくとも１つの付勢磁石要素１２４及び１２６を有してもよい。例えば、接続基部２０は、付勢磁石要素を受容するような寸法のポケット１３２及び１３４をそれぞれ画定する一対の離間されたタブ１２８及び１３０を有してもよい。以下でより詳しく説明するように、接続基部２０の付勢磁石要素１２４及び１２６は、ハンドル１２の対応する付勢磁石要素と反発してもよい。各タブ部材１２８及び１３０は、ハンドル１２の対応する特徴部を受容するような寸法である開口部１３６及び１３８を画定してもよい。各開口部１３６及び１３８は、対応するタブ部材１２８及び１３０の各側端壁部１４０及び１４２へと延びてもよい。側端壁部１４０及び１４２は、磁石要素１２６及び１２４の各ポケット１３４及び１３２を画定する上壁１４４及び１４６に対して概ね横断してもよい。
【００２１】
図５Ａ及び５Ｂを参照して、図１の剃毛かみそりシステム１０の正面斜視組立図及び背面斜視組立図が、それぞれ図示されている。図５Ａに示されるように、接続基部２０は、ハンドル１２の近位端部１６に対して枢動してもよい。ハンドル１２の近位端部１６は、一対の離間されたアーム１５０及び１５２を有してもよい。各アーム１５０及び１５２は、付勢磁石要素１５４及び１５６を有してもよく、この付勢磁石要素１５４及び１５６は、タブ部材１２８及び１３０の対応する付勢磁石要素１２４及び１２６と反発する。各アーム１５０及び１５２の端部１５８及び１６０は、タブ部材１２８及び１３０の各開口部１３６及び１３８の内部に位置付けられてもよい。これにより、各アーム１５０及び１５２の端部１５８及び１６０は、対応するタブ１２８及び１３０の上壁１４４及び１４６と底壁１７０及び１７２との間の対応する開口部１３６及び１３８の内部で枢動してもよい。上壁１４４及び１４６並びに底壁１７０及び１７２はまた、過剰枢動を防止するための停止表面として機能してもよい。安静位において、各アーム１５０及び１５２の端部１５８及び１６０は、対応する付勢磁石要素により生成される反発力により各上壁部１４４及び１４６から離間されていてもよい（例えば、付勢磁石要素１５４は付勢磁石要素１２４を反発し、付勢磁石要素１５６は、付勢磁石要素１２６を反発する）。
【００２２】
取り外し可能なかみそりカートリッジ３０は、相互接続部材５４を接続基部２０に係合することによりハンドル１２に取り付けられてもよい。接続基部２０の中間壁部１２０は、相互接続部材５４の開口部７２によって受容されてもよい。ハンドル取り付け表面５６は、取り外し可能なかみそりカートリッジ３０を接続基部２０に一時的に固定するために、接続基部２０のハウジング取り付け表面１１０と係合してもよい。磁石要素１１２及び１１４は、対応し対向する磁石要素５８及び６０と位置合わせされ、及びこれらに対して磁気的に引き付けられてもよい。対向する磁石要素間（例えば、磁石要素１１２及び磁石要素５８の間）の力の方向は、相互接続部材５４を接続基部２０から取り外す及び接続基部２０に取り付けるのに必要とされる力に対して概ね横断してもよい（例えば、この力はハンドル１２の細長い把持部分１４に対して概ね平行であってもよい）。
【００２３】
図６は、取り外し可能なかみそりカートリッジ３０がハンドル１２に（接続基部２０によって）固定された状態の、図１の剃毛かみそりシステム１０の拡大正面図である。図６に示されるように、皮膚係合部材４０及び／又はガード３４は、加熱器バー２２の横方向端部分８４及び８６の間に位置合わせされてもよい。加えて、クリップ４２ａ及び４２ｂは、加熱器バー２２の各ノッチ８６及び８４の内部に位置付けられてもよい。クリップ４２ａ及び４２ｂは、良好な熱伝導特性を有する金属（アルミニウムなど）を含んでもよい。ノッチ８８及び９０は、クリップ４２ａ及び４２ｂに対して熱の伝達を促進してもよい（例えば、加熱器バー２２は、ノッチ８８及び９０を介してクリップ４２ａ及び４２ｂに接触してもよい）。これにより、熱は、ブレード３８の前に伝達されるばかりでなく、ブレード３８の両側部並びに皮膚係合部材４０及び／又はガード３４にも伝達されてもよい。更に、ブレード３８は、金属（例えば、鉄）を含み、クリップと接触するので、熱はまた、剃毛ストローク中の皮膚表面に伝達される熱量を最適化しながら金属クリップ４２ａ及び４２ｂからブレード３８に伝達される。加熱器バー２２の皮膚接触面１０６は、皮膚に係合する部材４０及び／又はガード３４に実質的に隣接して位置付けられているのが示される。これにより、加熱器バー２２の皮膚接触面１０６、皮膚に係合する部材４０及び／又はガード３４は全て、剃毛ストローク中のユーザーの皮膚に接触されてもよい（例えば、同じ平面上で）。
【００２４】
図７を参照すると、剃毛かみそりシステム１０は、電流が、コンタクト２０４を介して１つ以上の電池７２などの電源２０２（例えば、１つ以上の使い捨て又は再充電可能バッテリなど）によって供給される電気回路２００を含んでもよい。電源２０２は、ハンドル１２の内部（例えば、細長い把持部分１４）に位置付けられてもよい。電気回路２００は、スイッチ２０６によって閉じられ、これはボタン２０８を押すことによってユーザーにより起動されてもよい。ＬＥＤ  ２１０は、電力が入れられているか、又は停止されているかをユーザーに示すようにハンドル１２に提供される。ＬＥＤ  ２１０は、ハンドル１２の透明区域に配置されてもよく、又はハンドル１２内の開口部を貫通して延びてもよい。ＬＥＤ  ２１０は、図７に示される以外のハンドル１２の区域に配置してもよく、又は省略してもよい。ＬＥＤ  ２１０は、加熱器バー２２が温かいか、温まりつつあるか、加熱器バー２２が熱すぎるかどうか、及び剃毛かみそりシステム１０の他の特性を示してもよい。
【００２５】
加熱器バー２２は、放熱するのに効果的ないかなる材料も含んでよい。加熱器バー２２に適した材料は、アルミニウム、銅、金、スチール、真鍮、ニッケルなどの金属、及び好ましい金属であるアルミニウムとこれらとの合金である。列挙された金属と類似した放熱特性を有する他の材料もまた、使用されてもよい。加熱器バー２２は、それが剃毛中のユーザーの皮膚と直接接触する状態になり得るので、ユーザーに改善された経験を提供するためにコーティングされるか、又は非平坦化されてもよい。例えば、加熱器バー２２は、小さな突出部若しくはバンプで非平坦化されてもよく、並びにポリフルオロカーボンなどのポリマー組成物でコーティングされてもよい。
【００２６】
加熱器バー２２は、上面若しくは皮膚接触面１０６、及び皮膚接触面１０６と反対側の下面又は第２表面２２０を含む。加熱要素２２２は、加熱器バー２２の第２表面２２０の下方に位置付けられる。加熱要素２２２は、抵抗性部材２２４と絶縁性部材２２６とを含んでもよい。抵抗性部材２２４は、第１表面２２８及び反対側の第２表面２３０を有する。絶縁性部材２２６は、第１表面２３２及び反対側の第２表面２３４を有してもよい。絶縁性部材２２６の第１表面２３２は、加熱器バー２２の第２表面２２０に接合される。絶縁性部材２２６の第２表面２３４は、抵抗性部材２２４の第１表面２２８に接合される。
【００２７】
加熱要素２２２は、第２絶縁性部材２３６を含んでもよい。第２絶縁性部材２３６は、第１表面２３８及び反対側の第２表面２４０を有してもよい。第２絶縁性部材２３６の第１表面２３８は、抵抗性部材２２４の第２表面２３０に接合されてもよい。
【００２８】
絶縁性部材２２４は、第１端部及び反対側の第２端部を有してもよい。電気コンタクトは、抵抗性部材４６の各端部においてそれぞれ提供されてもよい。電気コンタクトは、銀を含んでもよい。他の導電性材料、例えば、アルミニウム、銅、金、スチール、真鍮、ニッケル、及びこれらの合金は、電気コンタクトに使用されてもよい。電流リードは、電気コンタクトに固定されて、エネルギーを抵抗性部材２２４に供給して抵抗性部材２２４を加熱するように構成される電気回路の一部を形成する。加熱要素２２２の抵抗性部材２２４は、加熱器バー２２の上方又は皮膚接触面１０６に放散される熱を加熱器バー２２に供給し、剃毛中のユーザーの皮膚に温かさを提供する。
【００２９】
絶縁性部材２２６は、ガラス、ガラス−セラミック、セラミック、オキシド、又は他の誘電体材料で構成されてもよい。抵抗性部材２２４は、導電性粉末で充填されたゾル−ゲル溶液で構成されてもよい。コーティングは、均一で安定した分散をもたらすために、ゾル−ゲル溶液を約９０重量％までの導電性粉末の溶液と混合することによって形成してもよい。適した抵抗性部材は、国際公開第０２／０７２４９５（Ａ２）号に開示されている。抵抗性部材はまた、ニッケル、クロム、金、スチール、及び他の材料から構成されてもよい。抵抗性部材は好ましくは、約０．１Ω〜約１００Ω、より好ましくは約０．５Ω〜約２０Ω、最も好ましくは２Ωの抵抗を有する。第２絶縁性部材２３６は、ガラス、ガラス−セラミック、セラミック、オキシド、又は他の誘電体材料で構成されてもよい。抵抗性部材は、ゾル−ゲルプロセス、噴霧、浸漬、回転、刷毛塗り、印刷、スパッタリング、接着、又は他の好適な技法によって絶縁性部材に接合されてもよい。抵抗性部材２２４は、加熱器バー２２の皮膚接触面１０６を約３０℃〜約７０℃に加熱するのに十分なほどに温められてもよい。
【００３０】
本明細書に記載の（すなわち、反発力ではなく、引力を及ぼす）磁石要素５８、６０、１１２及び１１４は、磁気力によって引力を及ぼす構成要素であってもよく、又は磁気力によって引っ張られる構成要素であってもよいことが理解される。例えば、ハンドル取り付け表面の磁石要素は、金属を引きつける材料であってもよく、ハウジング取り付け表面の磁石要素は、ハンドル取り付け表面の磁石要素によって引っ張られる金属材料を含んでもよい。特定の実施形態では、ハンドル取り付け表面及びハウジング取り付け表面の双方の磁石要素は、より改善された係合のために磁気力を及ぼしてもよい。本明細書に記載の任意の磁石要素は、セラミック磁石、アルニコ磁石、サマリウムコバルト磁石、ネオジム磁石、電磁石、又はこれらの組み合わせを含んでもよい。更に、本明細書に記載の任意の磁石要素はまた、剃毛環境によって生じる腐食に対する耐性を持たせるためにめっきされてもよく又はコーティングされてもよい（例えば、プラスチック、ゴム、又はニッケルによって）。
【００３１】
本明細書で開示する寸法及び値は、列挙された正確な数値に厳密に限られるとして理解されるべきではない。むしろ、特に断りがない限り、このような寸法は、列挙されている値と、その値周辺の機能的に同様の範囲の双方を意味するように意図されている。例えば、「４０ｍｍ」と開示された寸法は、「約４０ｍｍ」を意味することを意図する。
【００３２】
相互参照されるか又は関連する全ての特許又は特許出願、及び本願が優先権又はその利益を主張する任意の特許出願又は特許を含む、本願に引用される全ての文書は、特に除外すること又は限定することを明言しないかぎりにおいて、その全容にわたって本願に援用するものである。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明すべてを教示、示唆、又は開示するとはみなされない。更に、本文書における用語の任意の意味又は定義が、参照することによって組み込まれた文書内の同じ用語の意味又は定義と競合する程度に、本文書におけるその用語に与えられた意味又は定義が適用されるものとする。
【００３３】
本発明の特定の実施形態が例示され記載されてきたが、本発明の趣旨及び範囲から逸脱することなく他の様々な変更及び修正を実施できることが当業者には自明であろう。したがって、本発明の範囲内に含まれるそのような全ての変更及び修正は、添付の特許請求の範囲にて網羅することを意図したものである。
【図１】
0006343006.tif 000002
【図２Ａ】
0006343006.tif 000003
【図２Ｂ】
0006343006.tif 000004
【図３】
0006343006.tif 000005
【図４】
0006343006.tif 000006
【図５Ａ】
0006343006.tif 000007
【図５Ｂ】
0006343006.tif 000008
【図６】
0006343006.tif 000009
【図７】
0006343006.tif 000010
【図８】
0006343006.tif 000011